(57)【要約】【課題】軸用針金を不要にして製造及び組立が容易であると共に、缶本体と缶蓋を面一に形成することにより使用上安全性に優れている角状缶を提供する。【解決手段】缶本体２の周面と缶蓋３の周面とが面一をなす角状缶１であって、上記缶本体は、その周側上部を内側に屈曲して段部１０を設け且つ上端には縁巻部１１を形成し、その背面側の段部には凹条溝１２、１３を所定間隔をおいて形成すると共に、前記凹条溝の端部に軸孔１４、１５を夫々設けてあり、上記缶蓋は、その周側下端に沿って内巻きの縁巻部２０を設けと共に、その背面側の縁巻部は前記凹条溝に夫々嵌合する大きさにして下端に巻込部２４、２５を形成した２個の縁巻片２６、２７を所定間隔を置いて設け且つ該縁巻片の各一側端に巻込部で形成した巻軸２８、２９を同一方向に突設してあり、上記軸孔に各巻軸を回動可能に挿入し、各凹条構内に縁巻片を夫々嵌合してなる。【選択図】  図２
2014201339.tif 000002
【特許請求の範囲】
【請求項１】
缶本体の周面と缶蓋の周面とが面一をなす角状缶であって、上記缶本体は、その周側上部を内側に屈曲して段部を設け且つ上端には縁巻部を形成し、その背面側の段部には凹条溝を所定間隔をおいて形成すると共に前記凹条溝の端部に軸孔を夫々設けてあり、上記缶蓋は、その周側下端に沿って内巻きの縁巻部を設けると共に、その背面側の縁巻部は前記凹条溝に夫々嵌合する大きさにして下端に巻込部を形成した２個の縁巻片を所定間隔を置いて設け且つ該縁巻片の各一側端に巻込部で形成した巻軸を同一方向に突設してあり、上記軸孔に各巻軸を回動可能に挿入し、各凹条構内に縁巻片を夫々嵌合してなる角状缶。
【請求項２】
前記巻軸は、その一方を他方より長く形成すると共に、短い方の巻軸又は長い方の巻軸をやや傾斜させてある前記請求項１記載の角状缶。
【請求項３】
前記縁巻片の巻軸と反対側部を傾斜させて、その下端部に軸孔内に係合し得る爪片を形成してなる前記請求項１又は２記載の角状缶。
【発明の詳細な説明】
【技術分野】
【０００１】
本発明は、ペンシルケース、菓子容器等に用いて好適な角状缶に関するものである。
【背景技術】
【０００２】
従来、缶本体に缶蓋を蝶番式に取付けることは行われているが、一般的には、下記特許文献１に示すように、缶蓋の蝶着側側壁の下端部に針金を固定して該針金の突出端部を、缶本体の蝶着側周壁の左右両端部に設けた隆条に嵌合してなるものがある。
又、下記特許文献２に示すように、針金のような軸ピンを別に使用せずに、缶蓋の蝶着側周壁の下端部を丸めることによって、互いに外側を向いた２本の管状突出軸を一体に設けるようにしたものがある。
【特許文献１】実公昭６０−３０９２
【特許文献２】実公昭５８−５２２０３
【発明の開示】
【発明が解決しようとする課題】
【０００３】
前記特許文献１のもののように軸用の針金を使用すると構成上工程が多くなると同時に、針金は挿着し難いためセット作業にも手間が掛かりコスト高になっていた。又、軸が外れたり折れたりする惧れがあり安全性に問題があった。
また、前記特許文献２のものは、上記のような難点は少ないが、蝶番部が外側に出ているため、蝶番部で怪我をする惧れがある等安全性に問題があった。
本発明は、係る従来の難点に鑑み、軸用針金を不要にして製造及び組立が容易であると共に、缶本体と缶蓋を面一に形成することにより使用上安全性に優れている角状缶を提供せんとするものである。
【課題を解決するための手段】
【０００４】
本発明に係る角状缶は、缶本体の周面と缶蓋の周面とが面一をなす角状缶であって、上記缶本体は、その周側上部を内側に屈曲して段部を設け且つ上端には縁巻部を形成し、その背面側の段部には凹条溝を所定間隔をおいて形成すると共に前記凹条溝の端部に軸孔を夫々設けてあり、上記缶蓋は、その周側下端に沿って内巻きの縁巻部を設けると共に、その背面側の縁巻部は前記缶本体の凹条溝に夫々嵌合する大きさにして下端に巻込部を形成した２個の縁巻片を所定間隔を置いて設け且つ該縁巻片の各一側端に巻込部で形成した巻軸を同一方向に突設してあり、上記缶本体の軸孔に各巻軸を回動可能に挿入し、各凹条構内に縁巻片を夫々嵌合してなる。
また、前記巻軸は、その一方を他方より長く形成すると共に、短い方の巻軸又は長い方の巻軸をやや傾斜させて形成する場合がある。
更に、前記縁巻片の巻軸と反対側部を傾斜させて、その下端部に軸孔内に係合し得る爪片を設ける場合もある。
【発明の効果】
【０００５】
本発明は、その構成からして、軸用針金が不要であって部品数を減らすことができると共に組立作業が容易であるので、製造コストを低減することができる。
また、缶蓋と缶本体が確実に蝶着して外れる惧れがないと共に、缶本体と缶蓋を面一に形成して蝶着部が外側に突出しないので、使用上安全性に優れている。
又、請求項２のように巻軸の一方を他方より長く形成すると共に一方の巻軸をやや傾斜させて構成した場合には、缶蓋の缶本体への蝶着を容易に行うことができると共に、缶蓋が缶本体に確実に蝶着して外れる惧れがない。
又．請求項３のように巻込部の巻軸と反対側に爪片を設けて、軸孔内に係合するように構成することにより、缶蓋が缶本体に一層確実に蝶着し得るので、耐久性に優れた角状缶を提供することができる。
【実施例１】
【０００６】
以下添付図面に基づいて本発明の一実施例につき説明する。
１は、本発明に係る角状缶であって、缶本体２と缶蓋３とからなる。
前記缶本体２は、その周側上部を内側に屈曲して段部１０を設け、且つ上端を内側にカールして縁巻部１１を形成してある。
また、その背面側の段部に切込みａ，ｂ，ｃ，ｄを形成して、ａーｂ間とｂ−ｃ間の段部下側壁を内側に弧状に屈曲することにより凹条溝１２、１３を設けると共に、各凹条溝１２、１３の端部には軸孔１４、１５を夫々設けてある。
なお、図中１７は正面側の上側中央部に設けた係止凸部であり、１８は指掛け用凸部を示す。
【０００７】
上記缶蓋３は、その周側下端を内側にカールして縁巻部２０を設け、その背面側の縁巻部には、切込部２１、２２、２３を形成して、上記凹条溝１２、１３に夫々係合する大きさにして下端に巻込部２４、２５を形成した２個の縁巻片２６、２７を延設してある。
また、前記縁巻片２６、２７の各一側端には、各巻込部２４、２５で形成した巻軸２８、２９を同一方向に突設してある。而して、巻軸２８はその長さを巻軸２９より短く形成すると共に約１５度外側に向けて傾斜させてある。
また、前記縁巻片２６、２７は前記巻軸と反対側部を夫々所要角度傾斜させて、その下端部に爪片３０、３１を夫々形成して、一方の爪片３０は凹条溝１２の軸孔１９内に嵌入すると共に、他方の爪片３１は軸孔１４内に嵌入し得るように形成してある。３２は缶本体２の係止凸部に係合し得る係合凹部を示す。
【０００８】
而して、缶蓋３の巻軸２８、２９を缶本体の軸孔１４、１５に夫々挿込みながら巻込部２４、２５を凹条構１２、１３内に夫々嵌合すると、缶本体２に缶蓋３が蝶着されると共に、缶本体２の周面と缶蓋３の周面とが面一になる。
また、爪片３０の先端部が凹条溝１２の軸孔１９内に嵌入し、且つ爪片３１が軸孔１４内に嵌入し得るようにしてあるので、缶蓋３が缶本体２に確実に蝶着され外れる惧れがない。
【図面の簡単な説明】
【０００９】
【図１】本発明に係る角状缶の正面図である。
【図２】同上背面図である。
【図３】Ａ−Ａ線一部拡大断面図である。
【図４】缶本体の平面図である。
【図５】缶本体の背面図である．
【図６】蓋体の平面図である。
【図７】蓋体の背面図である。
【符号の説明】
【００１０】
１      角状缶
２      缶本体
３      缶蓋
１０    段部
１１    縁巻部
１２    凹条溝
１３    凹条溝
１４    軸孔
１５    軸孔
１９    軸孔
２０    縁巻部
２４    巻込部
２５    巻込部
２６    縁巻片
２７    縁巻片
２８    巻軸
２９    巻軸
３０    爪片
３１    爪片
【図１】
2014201339.tif 000003
【図２】
2014201339.tif 000004
【図３】
2014201339.tif 000005
【図４】
2014201339.tif 000006
【図５】
2014201339.tif 000007
【図６】
2014201339.tif 000008
【図７】
2014201339.tif 000009